(57)【要約】【課題】凹弧状に湾曲した案内面を有するトラクタでのトラクタ用紙の搬送状態を良好にする。【解決手段】弧状の湾曲部分を有しトラクタ用紙を支持する案内面４１５が形成された基体４１１と、基体４１１の両端部分に設けられた駆動輪に掛け渡されたピンベルト４１３と、ピン４１２が送り孔に挿し込まれたトラクタ用紙を押える紙押え板４１６、４１７とを有する一対のトラクタ本体４０１を備えたトラクタ３０１に、一対のトラクタ本体４０１の間であって案内面４１５の湾曲部分の紙押え板４１７側の位置でトラクタ用紙を押える紙押え部６０１を設けた。【選択図】図３
2008007301.tif 000002
【特許請求の範囲】
【請求項１】
弧状の湾曲部分を有しトラクタ用紙の一面を支持する案内面が形成された基体と、前記基体の両端部分に設けられた回転体と、前記回転体に掛け渡されてトラクタ用紙の両側に形成された送り孔に対して挿脱可能なピンが外周面に形成されたピンベルトと、前記ピンが送り孔に挿し込まれたトラクタ用紙の他面を押える紙押え板と、を有する一対のトラクタ本体と、
前記回転体の少なくとも一方を回転駆動させる駆動部と、
一対の前記トラクタ本体の間であって前記案内面の湾曲部分の前記紙押え板側に設けられて、トラクタ用紙の他面を押える紙押え部と、
を備えるトラクタ。
【請求項２】
前記紙押え部を一対の前記トラクタ本体の間で前記回転体の中心軸と平行な方向に位置移動可能に支持する支持機構を備える、請求項１記載のトラクタ。
【請求項３】
前記紙押え部を一対の前記トラクタ本体の中間位置に配置する第１の位置決め機構を備える、請求項２記載のトラクタ。
【請求項４】
前記紙押え部を複数有し、
複数の当該紙押え部を一対の前記トラクタ本体の中間位置を通る線を基準として線対称に配置する第２の位置決め機構を備える、請求項２記載のトラクタ。
【請求項５】
前記紙押え部は、前記回転体の中心軸と平行に軸支されてトラクタ用紙を押える回動ローラを備える、請求項３又は４記載のトラクタ。
【請求項６】
前記紙押え部は、一対の前記トラクタ本体の中間位置に少なくとも一つ設けられている、請求項１ないし５のいずれか一記載のトラクタ。
【発明の詳細な説明】
【技術分野】
【０００１】
本発明は、トラクタに関する。
【背景技術】
【０００２】
従来、プリンタ等で印字部の上流側又は下流側に配置されてトラクタ用紙を搬送するトラクタがある（例えば、特許文献１参照）。トラクタは、ピンベルトが設けられた一対のトラクタ本体を備えている。そして、トラクタ用紙の両側部分に形成された送り孔にピンを挿し込ませてピンベルトを回転することにより、トラクタ用紙の搬送が行われる。
【０００３】
ところで、ハウジングの前面に表示部や入力部を備え、入力された情報をハウジング内部の印字部によってトラクタ用紙に印字してハウジングの上面から排紙するようにした事務機がある。このような事務機では、トラクタは、表示部や入力部のないハウジングの後方位置に配置されて印字部に向けてトラクタ用紙を搬送する。
【０００４】
【特許文献１】実開平６−０４２１８７号公報
【発明の開示】
【発明が解決しようとする課題】
【０００５】
トラクタでは、ピンや紙押え板がトラクタ用紙の動きを規制して強制搬送が行われるのに対して、トラクタから印字部に至る途中の用紙経路では、搬送ローラによる摩擦搬送等が行われる。そして、摩擦搬送の方が、搬送中の用紙ズレが生じ易い。
【０００６】
したがって、トラクタと印字部との距離が離れているほど搬送ミスが起こり、印字ズレも発生する。つまり、トラクタと印字部とは、互いにより近い位置に配置されていることが望ましい。
【０００７】
そこで、トラクタ本体の長さを延ばして湾曲させて、トラクタ用紙を支持する案内面を凹弧状に湾曲させることが考えられる。このようなトラクタとすれば、ハウジング後方におけるトラクタ用紙セットの作業性が確保されつつ、トラクタと印字部との距離が短くなり、印字ズレ等を抑えることができる。
【０００８】
しかしながら、新たな問題も生じてしまう。ここで、図９は、案内面が凹弧状に湾曲したトラクタによって搬送されるトラクタ用紙を示す斜視図である。なお、トラクタは省略して示している。トラクタ用紙は、その両側部分については、紙押え板に押えられているため案内面に沿って湾曲して搬送されるのに対して、中央部分については、紙押え板のような規制がないため、案内面に沿って湾曲しようとせず、図９に示すように、山なりに盛り上がってしまう。このような状態のトラクタ用紙をさらに搬送すれば、ジャム等を引き起こしてしまうことになる。
【０００９】
本発明の目的は、凹弧状に湾曲した案内面を有するトラクタでのトラクタ用紙の搬送状態を良好にすることである。
【課題を解決するための手段】
【００１０】
本発明のトラクタは、弧状の湾曲部分を有しトラクタ用紙の一面を支持する案内面が形成された基体と、前記基体の両端部分に設けられた回転体と、前記回転体に掛け渡されてトラクタ用紙の両側に形成された送り孔に対して挿脱可能なピンが外周面に形成されたピンベルトと、前記ピンが送り孔に挿し込まれたトラクタ用紙の他面を押える紙押え板と、を有する一対のトラクタ本体と、前記回転体の少なくとも一方を回転駆動させる駆動部と、一対の前記トラクタ本体の間であって前記案内面の湾曲部分の前記紙押え板側に設けられて、トラクタ用紙の他面を押える紙押え部と、を備える。
【発明の効果】
【００１１】
本発明によれば、湾曲せずに盛り上がろうとするトラクタ用紙を紙押え部が押えるため、凹弧状に湾曲した案内面を有するトラクタでトラクタ用紙の搬送する場合の搬送状態を良好にすることができる。
【発明を実施するための最良の形態】
【００１２】
本発明の実施の一形態を図面に基づいて説明する。
【００１３】
図１は、事務機１０１を示す側面図である。事務機１０１は、各部を収納するハウジング２０１を備えている。なお、図１中、ハウジング２０１の一部を切り欠いて示している。
【００１４】
ハウジング２０１の前面側には情報を表示する表示部２０５が設けられている。また、表示部２０５の下方には、情報を入力する入力部としてキーボード２０６が設けられている。
【００１５】
ハウジング２０１の前面であって表示部２０５とキーボード２０６との間の位置には用紙を挿入する手差口２０７が形成されている。また、ハウジング２０１の上面部分には排紙口２１０が形成されている。そして、ハウジング２０１の内部には、手差口２０７から排紙口２１０に至る用紙経路２０８が形成されている。用紙経路２０８には対をなす搬送ローラ２０９が複数の配列されており、手差口２０７から挿入された用紙（例えば、単票用紙）は、搬送ローラ２０９の回転により搬送されて排紙口２１０に向けて案内される。なお、搬送ローラ２０９は、図示しないモータによって駆動されて回転するものである。
【００１６】
また、ハウジング２０１の内部には、排紙口２１０の下方位置であって用紙経路２０８の終端部分に印字部２０２が設けられている。印字部２０２は、用紙経路２０８を介して対向配置された印字ヘッド２０３と平型のプラテン２０４とを備えている。プラテン２０４はプラテンローラ等であってもよい。印字ヘッド２０３は、プラテン２０４の長手方向に沿って配置されたキャリア軸（図示せず）に移動可能に支持され、図示しない駆動部により往復駆動する。印字部２０２と排紙口２１０との間の用紙経路２０８には排紙ローラ２１１が設けられている。印字部２０２により印字済みとなった用紙は、排紙ローラ２１１によって排紙口２１０に向けて搬送されて排紙口２１０から排出される。
【００１７】
そして、ハウジング２０１の後方にはフレーム２２１が設けられている。そして、このフレーム２２１によってトラクタ３０１が支持されている。トラクタ３０１は、その一部がハウジング２０１の後方に突出する位置であり、また、印字部２０２の上流側で用紙経路２０８に連結する位置に配置されている。
【００１８】
トラクタ３０１は、ピンベルト４１３（図４参照）を回転支持し、凹弧状の湾曲部分を有する案内面４１５が形成された一対のトラクタ本体４０１を備えている。案内面４１５はトラクタ用紙５０１の一面（下面）を支持するものである。また、トラクタ本体４０１は、トラクタ用紙５０１の他面（上面）を押える紙押え板４１６、４１７を有している。そして、トラクタ３０１は、ピンベルト４１３の回転によって、案内面４１５に支持されて紙押え板４１６、４１７によって押えられたトラクタ用紙５０１を印字部２０２に向けて搬送して用紙経路２０８に送り込む。
【００１９】
さらに、本実施の形態では、一対のトラクタ本体４０１の間であって案内面４１５の湾曲部分の固定紙押え板４１７（図３参照）側に、トラクタ用紙５０１を押える後述する紙押え部６０１を備えている。
【００２０】
図２は、トラクタ用紙５０１を示す斜視図である。トラクタ用紙５０１の両側部には、一定の間隔で送り孔５０２が形成されている。また、トラクタ用紙５０１には、一定間隔で切り離し可能にミシン目５０３が形成されている。そして、トラクタ用紙５０１は、事務機１０１の後方の位置に置かれ、ミシン目５０３でジグザグに折りたたまれた状態からトラクタ３０１の搬送によって引出される。トラクタ用紙５０１は、一例として、複数枚の紙が重なって構成される伝票用紙である。
【００２１】
図３は、第１の実施の形態のトラクタ３０１を示す斜視図である。
【００２２】
トラクタ３０１が備える一対のトラクタ本体４０１は、トラクタ用紙５０１の下面を支持する案内面４１５が形成された基体４１１を備えている。基体４１１は、弧状の湾曲部分を有する。つまり、基体４１１は、弧状に湾曲した形状を有しており、基体４１１が形成する弧の内側に案内面４１５が形成されている。したがって、案内面４１５は凹弧状の湾曲部分を有する。
【００２３】
トラクタ本体４０１には、案内面４１５の軌跡に沿って開閉紙押え板４１６及び固定紙押え板４１７が案内面４１５から離間して設けられている（図４参照）。
【００２４】
開閉紙押え板４１６及び固定紙押え板４１７には、ピンベルト４１３のピン４１２との接触を避ける位置に、用紙搬送方向に長い長孔４１８及び長孔４１９が形成されている。なお、長孔４１８及び長孔４１９を覆う位置にはそれぞれ長孔カバー４１８ａ及び長孔カバー４１９ａが設けられている。
【００２５】
開閉紙押え板４１６は、開閉可能となっている。つまり、基体４１１の側部にはヒンジ片４２０が設けられている。そして、開閉紙押え板４１６は、ヒンジピン（図示せず）によってヒンジ片４２０に対して回動自在に取り付けられている。そのため、開閉紙押え板４１６は開閉可能となっており、開閉紙押え板４１６を開状態としてピンベルト４１３を露出させることができる。
【００２６】
固定紙押え板４１７は、基体４１１に対して止着部材等によって固定されている。そして、固定紙押え板４１７には、さらに、左右一対の板状のローラ保持部材４３６が立設されており、用紙搬送方向の前後位置に設けられてピンベルト４１３の外周面と接触する２つのローラ４３２がローラ保持部材４３６によって支持されている。なお、ローラ４３２がピンベルト４１３の外周面と接触するために、固定紙押え板４１７の一部分は切り欠いた状態となっている（図示せず）。
【００２７】
ところで、フレーム２２１（図１参照）によって、駆動部としての駆動軸３５１、固定軸３６１、及び支持軸６０２が互いに平行に支持されている。そして、トラクタ本体４０１の基体４１１には、駆動軸３５１及び固定軸３６１が貫通し、ローラ保持部材４３６には、支持軸６０２が貫通している。
【００２８】
駆動軸３５１の一端には駆動ギヤ３７１が固定されて設けられている。また、ハウジング２０１の内部には、モータギヤ３７３が回転軸に固定されたモータ３７２が設けられている。そして、駆動ギヤ３７１とモータギヤ３７３とが互いに歯が噛み合う位置に設けられている。したがって、モータ３７２が駆動した場合、その駆動力がモータギヤ３７３と駆動ギヤ３７１とを介して駆動軸３５１に伝達されて駆動軸３５１は回転する。
【００２９】
図４は、トラクタ本体４０１を概略的に示す側面図である。
【００３０】
基体４１１の内部の両端部分には回転体４２１が回転自在に設けられている。一方の回転体４２１には、駆動軸３５１が貫通している。そのため、回転体４２１は、駆動軸３５１の回転力を受けることが可能となっている。
【００３１】
回転体４２１には、エンドレス状のピンベルト４１３が掛け渡されている。ピンベルト４１３は、掛け渡された回転体４２１の回転と一体に回転する。つまり、駆動軸３５１の回転によって回転体４２１が回転駆動し、回転体４２１の回転駆動と一体にピンベルト４１３も回転する。
【００３２】
ピンベルト４１３の外周面には、トラクタ用紙５０１（図２参照）の送り孔５０２（図２参照）と等間隔でピン４１２が突出形成されている。なお、ピン４１２の直径は、トラクタ用紙５０１の送り孔５０２の孔径よりも小さく形成されている。そのため、ピン４１２は、トラクタ用紙５０１の送り孔５０２に対して挿脱可能となっている。
【００３３】
そして、開閉紙押え板４１６及び固定紙押え板４１７は、ピン４１２が送り孔５０２に挿し込まれたトラクタ用紙５０１の上面を押える。これにより、トラクタ用紙５０１は、搬送中に送り孔５０２からピン４１２が抜けて脱落してしまうことが防止される。
【００３４】
トラクタ本体４０１は、固定軸３６１の軸方向にスライド移動自在となっている。したがって、片方のトラクタ本体４０１を固定軸３６１の軸方向に移動させることで、任意の紙幅を有するトラクタ用紙５０１の使用が可能となる。
【００３５】
ところで、案内面４１５の湾曲部分は、正確な円弧状ではなく、平面状の案内面４１５が角度をもって連続することで擬似的に案内面４１５は弧状となっている。
【００３６】
なお、案内面４１５は、その終了部分で、用紙搬送方向に進むに従いその高さを次第に増している。これにより、搬送されるトラクタ用紙５０１は、この終了部分に近づくに従いピンベルト４１３から離反して送り孔５０２からピン４１２が外れ易い状態になる。
【００３７】
ここで、図４に基づきローラ４３２について説明する。固定紙押え板４１７に一体的に設けられたローラ保持部材４３６には、用紙搬送方向の前後にＵ字溝４３７が左右同位置に形成されている。
【００３８】
また、ローラ４３２は、左右一対でひとつのローラ４３２を構成しており（図３参照）、この一対のローラ４３２の中心を貫通してローラ軸４３３が固定されている。このとき、一対のローラ４３２は、互いに離れた位置でローラ軸４３３に固定されている。この位置は、ピンベルト４１３のピン４１２との干渉を避ける位置であり、かつ、ピンベルト４１３の幅に収まる位置である。
【００３９】
そして、ローラ軸４３３が、Ｕ字溝４３７に嵌めこまれている。ローラ軸４３３の径はＵ字溝４３７の幅よりも小さく、したがって、Ｕ字溝４３７に嵌め込まれたローラ軸４３３は、回転自在であり、また、Ｕ字溝４３７の長手方向に沿って変位自在となっている。
【００４０】
ローラ保持部材４３６には、支持軸６０２がローラ４３２よりも上方の位置で貫通している。また、支持軸６０２には、トーションスプリング４３４が巻き付けられている。そして、支持軸６０２に巻き付けられたトーションスプリング４３４の両端部が、用紙搬送方向の前後に設けられたローラ４３２のローラ軸４３３を付勢している。
【００４１】
ローラ４３２は、ローラ軸４３３が付勢されて、接触するピンベルト４１３の外周面を弾性的に押圧した状態となっている。これにより、ピンベルト４１３は、案内面４１５の湾曲部分で浮き上がることなく、案内面４１５の形状に沿って湾曲して回転する。
【００４２】
また、ローラ軸４３３は、Ｕ字溝４３７に沿って変位自在に付勢されているため、トラクタ用紙５０１の厚さによらず、トラクタ用紙５０１をピンベルト４１３とローラ４３２との間を搬送することができる。
【００４３】
図３に戻る。トラクタ３０１は、一対のトラクタ本体４０１の間に３本の用紙ガイド７０１を備えている。用紙ガイド７０１は、案内面４１５の軌跡に沿って湾曲した形状を有する。そして、用紙ガイド７０１は、搬送されるトラクタ用紙５０１の下面を支持する。
【００４４】
用紙ガイド７０１のトラクタ用紙５０１を支持する面には、用紙経路方向に沿って複数の溝が形成されている。このような溝を設けることで、用紙ガイド７０１とトラクタ用紙５０１との接触面積が減少し、搬送時の摩擦抵抗が小さくなる。
【００４５】
用紙ガイド７０１は、駆動軸３５１及び固定軸３６１にスライド移動可能に取り付けられている。したがって、任意の紙幅のトラクタ用紙５０１の搬送に対応させることができる。なお、用紙ガイド７０１の本数は３本に限られないことは言うまでもない。
【００４６】
次に、本実施の形態のトラクタ３０１の形態が備える紙押え部６０１について説明する。本実施の形態では、図３に示すように、ローラ保持部材４３６を貫通する支持軸６０２に支持させて、一対のトラクタ本体４０１の間であって案内面４１５の湾曲部分の固定紙押え板４１７側の位置に、紙押え部６０１が設けられている。
【００４７】
図５は、第１の実施の形態の紙押え部６０１を示す側面図である。なお、図５中には、用紙ガイド７０１と、トラクタ本体４０１の案内面４１５と、についても示している。
【００４８】
紙押え部６０１の下面側（用紙ガイド７０１側）の外周部分には用紙搬送方向に延びた複数本の凸部６１１が形成されている。そして、凸部６１１を含む紙押え部６０１の最も用紙ガイド７０１に近い部位の高さは、支持軸６０２の軸方向に平行な位置にある固定紙押え板４１７とほぼ同じ高さとなっている。
【００４９】
そして、このような紙押え部６０１は、ピン４１２（図４参照）が送り孔５０２（図２参照）に挿し込まれて搬送されるトラクタ用紙５０１（図２参照）を押える。
【００５０】
紙押え部６０１の形状は、側方から見た場合、図５に示すように、その下側部分は、用紙搬送方向に進むに従い用紙ガイド７０１から離れた位置から次第に用紙ガイド７０１に近づき、用紙ガイド７０１の湾曲部分の所定の一点に至った後、円弧状に湾曲して用紙ガイド７０１との距離が遠ざかる形状となっている。このような形状とすることで、トラクタ用紙５０１の先端が、用紙ガイド７０１と紙押え部６０１との間に入り込み易くなり、紙押え部６０１に乗り上げてしまうことが防止されている。
【００５１】
紙押え部６０１に凸部６１１を設けたことで、用紙ガイド７０１と紙押え部６０１との間を搬送されるトラクタ用紙５０１との接触面積が減り摩擦抵抗が減少する。さらに、紙押え部６０１を上記説明した形状としたことで、紙押え部６０１とトラクタ用紙５０１とは、互いに「線」で接触する。したがって、接触による摩擦抵抗を、より抑えることができる。
【００５２】
紙押え部６０１には、両側面を貫通する軸孔６０５が形成されている。軸孔６０５の内径は、支持軸６０２の外径よりも大きい。そして、軸孔６０５に支持軸６０２が挿入されて、紙押え部６０１は支持軸６０２によって支持されている。紙押え部６０１と支持軸６０２とは、接着剤等の他の固定手段によって互いに何ら固定されていない。したがって、支持軸６０２の軸方向に紙押え部６０１をスライド移動させることができる。ここに、紙押え部６０１を一対のトラクタ本体４０１の間で回転体４２１の中心軸である駆動軸３５１と平行な方向に位置移動可能に支持する支持機構が実現されている。
【００５３】
なお、支持軸６０２には、軸方向に沿って長い凸部が形成されて、軸孔６０５には、この凸部と対応する凹部が形成されている。支持軸６０２の凸部が軸孔６０５の凹部に嵌め込まれて支持軸６０２に紙押え部６０１が支持されることで、紙押え部６０１は支持軸６０２を中心に回転することが規制されている。
【００５４】
図３に戻る。図３に示すように、２つの圧縮スプリング６０３が、その内径部分に支持軸６０２が通されて、支持軸６０２によって支持されている。２つの圧縮スプリング６０３は、紙押え部６０１を挟む位置に配置されている。このとき、２つの圧縮スプリング６０３は、互いにその長さは同じであり、また、力学的な挙動（弾力等）も同じである。そして、圧縮スプリング６０３は、紙押え部６０１の側面とローラ保持部材４３６とを弾性的に押圧している。紙押え部６０１は、圧縮スプリング６０３によって一対のトラクタ本体４０１の中間位置に位置付けられている。
【００５５】
ここで、一方のトラクタ本体４０１を固定軸３６１の軸方向にスライド移動させて、トラクタ本体４０１同士の距離を狭めた場合、２つの圧縮スプリング６０３は同様に圧縮して、紙押え部６０１を一対のトラクタ本体４０１の中間位置に位置付ける。そして、トラクタ本体４０１の位置を元に戻した場合、２つの圧縮スプリング６０３は同様に弛緩して、紙押え部６０１を一対のトラクタ本体４０１の中間位置に位置付ける。
【００５６】
つまり、トラクタ本体４０１を駆動軸３５１の軸方向に移動させた場合、トラクタ本体４０１の位置を問わず、紙押え部６０１は一対のトラクタ本体４０１の中間位置に配置される。ここに、第１の位置決め機構が実現されている。このような第１の位置決め機構を備えることにより、紙押え部６０１を適宜移動させる必要がなくなり、作業性が良好になる。
【００５７】
紙押え部６０１は、一対のトラクタ本体４０１の中間位置に少なくとも一つ設けられている。これにより、中央部分が盛り上がるトラクタ用紙５０１の盛り上がりを押えることができる。なお、後述するように、紙押え部６０１は一つに限られることはない。さらに、中間位置を空けてこの中間位置から等距離離れた位置に２つ設けられていても良い。
【００５８】
また、紙押え部６０１は、用紙ガイド７０１の上に位置していなくてもよく、２つの用紙ガイド７０１の間に位置していてもよい。
【００５９】
また、紙押え部６０１を支持軸６０２に支持させることで、紙押え部６０１をトラクタ用紙５０１に近い位置に配置することが容易となっている。
【００６０】
このような構成において、トラクタ用紙５０１を搬送させて情報を印字する場合について説明する。
【００６１】
まず、開閉紙押え板４１６を開状態にしてピンベルト４１３を露出させる。そして、トラクタ用紙５０１の送り孔５０２にピン４１２を挿し込ませた後、開閉紙押え板４１６を閉状態とする。これにより、トラクタ３０１に対してトラクタ用紙５０１がセットされる。
【００６２】
トラクタ３０１は、図１に示すように、トラクタ本体４０１の開閉紙押え板４１６が設けられている部分がハウジング２０１の後方に突出した位置に配置されている。そのため、事務機１０１の正面側からハウジング２０１越しにトラクタ用紙５０１のセット作業を行う場合、その作業性は良好である。
【００６３】
事務機１０１では、操作者が表示部２０５を見ながらキーボード２０６を操作して各種データ入力を行う。そして、データ入力が終了して所定の印字操作がなされたならば、駆動軸３５１が駆動してピンベルト４１３が回転し、セットされたトラクタ用紙５０１の搬送が開始される。トラクタ用紙５０１はトラクタ３０１によって搬送されて用紙経路２０８に送り込まれる。
【００６４】
そして、トラクタ用紙５０１の搬送中、トラクタ用紙５０１の中央部分は、湾曲した用紙ガイド７０１に沿わずに盛り上がろうとするが、本実施の形態によれば、紙押え部６０１によってトラクタ用紙５０１の盛り上がりは押えられて、トラクタ用紙５０１の搬送状態は良好なものとなる。
【００６５】
次に、本発明の第２の実施の形態について図６に基づいて説明する。
【００６６】
図６は、第２の実施の形態のトラクタ３０１を示す斜視図である。図１ないし図５において示した部分と同じ機能を奏する部分は同一符号で示し、説明も省略する（以下、同じ）。本実施の形態のトラクタ３０１が、第１の実施の形態のトラクタ３０１と異なる点は、紙押え部６０１の数量である。つまり、本実施の形態のトラクタ３０１は、紙押え部６０１を３つ備えている。したがって、本実施の形態によれば、紙幅方向に広く盛り上がったトラクタ用紙５０１についても、より確実に盛り上がりを押えることができる。
【００６７】
また、本実施の形態の紙押え部６０１は、側方から見た場合の形状が第１の実施の形態の紙押え部６０１と異なっている。つまり、本実施の形態の紙押え部６０１は、湾曲した用紙ガイド７０１の軌跡に沿った形状となっている。このような形状とすることで、トラクタ用紙５０１との接触面積は、第１の実施の形態の紙押え部６０１よりも増すことになるが、トラクタ用紙５０１との接触時間が長くなるため、確実に盛り上がりを押えることができる。
【００６８】
なお、第１の実施の形態の紙押え部６０１が３つ備えられていても良く、また、紙押え部６０１の数量は、３つに限られることは無い。
【００６９】
また、図６に示すように、トラクタ本体４０１と紙押え部６０１との間、又は、隣り合う紙押え部６０１同士の間には、圧縮スプリング６０３が支持軸６０２に支持されている。このとき、複数の紙押え部６０１は、一対のトラクタ本体４０１の中間位置を通る線を基準として線対称に配置されている。そして、一方のトラクタ本体４０１をスライド移動させて、トラクタ本体４０１同士の距離を狭めた場合、複数の圧縮スプリング６０３は同様に圧縮して、再び、複数の紙押え部６０１は、一対のトラクタ本体４０１の中間位置を通る線を基準として線対称に配置される。もちろん、トラクタ本体４０１の位置を元に戻した場合も同様となる。ここに、第２の位置決め機構が実現されている。このような第２の位置決め機構を備えることにより、紙押え部６０１を適宜移動させる必要がなくなり、作業性が良好になる。
【００７０】
次に、本発明の第３の実施の形態について図７及び図８に基づいて説明する。
【００７１】
図７は、第３の実施の形態のトラクタ３０１を示す斜視図である。図８は、第３の実施の形態の紙押え部６０１を示す側面図である。本実施の形態の紙押え部６０１は、支持軸６０２と平行に軸支されてトラクタ用紙５０１の上面を押える回動ローラ６３１を備えている。本実施の形態の紙押え部６０１は、支持軸６０２に移動自在に支持されたローラケース６３２を備えている。そして、ローラケース６３２の内部で、回動ローラ６３１の中心を通る回動ローラ軸６３３が回動自在に保持されている。このとき、回動ローラ６３１の高さと固定紙押え板４１７との高さとは同一である。
【００７２】
本実施の形態によれば、搬送されるトラクタ用紙５０１と回動ローラ６３１が「線」で接触し、また、トラクタ用紙５０１の搬送に従って、トラクタ用紙５０１と接触している回動ローラ６３１が回転するため、トラクタ用紙５０１との接触による摩擦抵抗をより抑えることができる。
【図面の簡単な説明】
【００７３】
【図１】事務機を示す側面図である。
【図２】トラクタ用紙を示す斜視図である。
【図３】第１の実施の形態のトラクタを示す斜視図である。
【図４】トラクタ本体を概略的に示す側面図である。
【図５】第１の実施の形態の紙押え部を示す側面図である。
【図６】第２の実施の形態のトラクタを示す斜視図である。
【図７】第３の実施の形態のトラクタを示す斜視図である。
【図８】第３の実施の形態の紙押え部を示す側面図である。
【図９】案内面が凹弧状に湾曲したトラクタによって搬送されるトラクタ用紙を示す斜視図である。
【符号の説明】
【００７４】
３０１…トラクタ、４０１…トラクタ本体、４１１…基体、４１３…ピンベルト、４１５…案内面、４１６…開閉紙押え板（紙押え板）、４１７…固定紙押え板（紙押え板）、４２１…回転体、６０１…紙押え部、６３１…回動ローラ
【図１】
2008007301.tif 000003
【図２】
2008007301.tif 000004
【図３】
2008007301.tif 000005
【図４】
2008007301.tif 000006
【図５】
2008007301.tif 000007
【図６】
2008007301.tif 000008
【図７】
2008007301.tif 000009
【図８】
2008007301.tif 000010
【図９】
2008007301.tif 000011